(57)【要約】  ワイヤレス通信のための方法、ユーザ機器、装置、およびコンピュータプログラム製品が提供される。装置は、1つより少ない物理リソースブロック(PRB)のアップリンクリソース割振りを識別する許可を受信することであって、許可が、アップリンクリソース割振りが含まれる特定のPRBおよび装置のために割り振られるサブキャリアの少なくともあるグループを識別する、受信することと、アップリンクリソース割振りを使用してアップリンクデータを送信することとを行ってもよい。多数の他の態様が説明される。
2020520193.tif 000002
【特許請求の範囲】
【請求項１】
ワイヤレス通信の方法であって、
サブ物理リソースブロック(PRB)リソース割振りおよび1つまたは複数のPRBのリソース割振りを使用することが可能なユーザ機器(UE)によって、1つより少ないPRBのアップリンクリソース割振りを識別する許可を受信するステップであって、前記許可が、前記アップリンクリソース割振りが含まれる特定のPRBと、前記UEのために割り振られるサブキャリアの少なくともあるグループとを識別する、ステップと、
前記UEによって、前記アップリンクリソース割振りを使用してアップリンクデータを送信するステップとを備える、
方法。
【請求項２】
前記UEが、カテゴリM UE、カテゴリM1 UE、またはカテゴリM2 UEを含む、
請求項1に記載の方法。
【請求項３】
前記アップリンクリソース割振りがさらに、前記特定のPRBが含まれる狭帯域を識別する、
請求項1に記載の方法。
【請求項４】
前記特定のPRBが、前記UEがその上で通信するように構成される狭帯域のすべてのPRBより少ないものを含むPRBのあらかじめ定められたグループから選択される、
請求項1に記載の方法。
【請求項５】
PRBの前記あらかじめ定められたグループの構成が無線リソース制御シグナリングを使用して示される、
請求項4に記載の方法。
【請求項６】
前記特定のPRBが、前記特定のPRBが狭帯域に含まれないことに少なくとも部分的に基づいて選択される、
請求項1に記載の方法。
【請求項７】
前記特定のPRBが、前記特定のPRBがガードバンドに含まれることに少なくとも部分的に基づいて選択される、
請求項1に記載の方法。
【請求項８】
前記アップリンクリソース割振りが、前記許可に関連付けられる前記反復レベルとのジョイントコーディングに少なくとも部分的に基づいて識別される、
請求項1に記載の方法。
【請求項９】
前記アップリンクリソース割振りがトランスポートブロックに関連付けられ、
前記アップリンクリソース割振りが、第1の数のサブキャリアおよび第2の数のサブキャリアを含む少なくとも1つのリソースユニットに前記トランスポートブロックをマッピングし、
前記許可が、前記トランスポートブロックがマッピングされるべきリソースユニットの数を示す、
請求項1に記載の方法。
【請求項１０】
前記トランスポートブロックのトランスポートブロックサイズが、リソースユニットの前記数に少なくとも部分的に基づいて判定される、
請求項9に記載の方法。
【請求項１１】
前記トランスポートブロックの変調次数が、前記トランスポートブロックの判定された変調次数が2より大きいとき、四位相偏移変調または二位相偏移変調を用いて上書きされる、
請求項10に記載の方法。
【請求項１２】
サブキャリアの前記グループが、前記特定のPRBのサブキャリアの複数の重複しないグループから選択される、
請求項1に記載の方法。
【請求項１３】
前記UEがさらに、少なくとも1つのPRBの第2のリソース割振りを受信するように構成され、前記第2の許可のPRBの数が前記UEの最大送信帯域幅に少なくとも部分的に基づく、
請求項1に記載の方法。
【請求項１４】
前記最大送信帯域幅が1.4メガヘルツであり、前記第2の許可が1個から6個のPRBに関連付けられる、
請求項13に記載の方法。
【請求項１５】
前記最大送信帯域幅が5メガヘルツであり、前記第2の許可が1個から24個のPRBに関連付けられる、
請求項13に記載の方法。
【請求項１６】
ワイヤレス通信の方法であって、
ユーザ機器(UE)によって、1つより少ない物理リソースブロック(PRB)のアップリンクリソース割振りを識別する許可を受信するステップであって、前記許可が、前記アップリンクリソース割振りに関連付けられるトランスポートブロックがマッピングされるべき、サブフレームまたはリソースユニットの数を識別する、ステップと、
前記UEによって、サブフレームまたはリソースユニットの前記数に少なくとも部分的に基づいて周波数ホッピング技法を判定するステップであって、前記周波数ホッピング技法が前記アップリンクリソース割振りを含む狭帯域内にある、ステップとを備える、
方法。
【請求項１７】
前記UEが、前記許可が1つより少ないPRBの前記アップリンクリソース割振りを識別するとき、前記周波数ホッピング技法を無効化するように構成される、
請求項16に記載の方法。
【請求項１８】
前記UEが、前記許可が1つより少ないPRBの前記アップリンクリソース割振りを識別するとき、カバレージ拡張モード、周波数ホッピング間隔、およびサブフレームまたはリソースユニットの前記数に少なくとも部分的に基づいて、前記周波数ホッピング技法を構成するように構成される、
請求項16に記載の方法。
【請求項１９】
前記UEが、前記周波数ホッピング間隔が前記アップリンクリソース割振りに関連付けられるサブフレームまたはリソースユニットの前記数と一致するとき、前記周波数ホッピング技法を実行するように構成される、
請求項18に記載の方法。
【請求項２０】
前記UEが、前記許可が1つより少ないPRBの前記アップリンクリソース割振りを識別するとき、1つまたは複数のあらかじめ定められたPRB内で前記周波数ホッピング技法を実行するように構成される、
請求項16に記載の方法。
【請求項２１】
前記UEが、特定のPRB内の前記周波数ホッピング技法を実行するように構成され、前記周波数ホッピング技法が、前記特定のPRB内での周期的な手法に少なくとも部分的に基づく、
請求項16に記載の方法。
【請求項２２】
ワイヤレス通信の方法であって、
ユーザ機器(UE)によって、1つより少ない物理リソースブロック(PRB)のアップリンクリソース割振りを識別する許可を受信するステップと、
前記UEによって、1つより少ないPRBのアップリンクリソース割振りを識別する前記許可に少なくとも部分的に基づいて、再チューニング動作を実行するステップとを備え、
前記再チューニング動作が、前記UEのシステム帯域幅能力に対応する再チューニング構成に従って実行される、
方法。
【請求項２３】
前記UEが、前記UEがその上で通信する狭帯域が変化するとき、前記再チューニング動作を実行するように構成される、
請求項22に記載の方法。
【請求項２４】
前記UEが、前記UEがその上で通信するPRBが変化するとき、前記再チューニング動作を実行するように構成される、
請求項22に記載の方法。
【請求項２５】
前記UEが、前記再チューニング動作を実行したことに少なくとも部分的に基づいて、サブフレームの最後の1つまたは複数のシンボルをパンクチャリングするように構成される、
請求項22に記載の方法。
【請求項２６】
前記UEが、前記再チューニング動作を実行したことに少なくとも部分的に基づいて、サブフレームの最初の1つまたは複数のシンボルをレートマッチングするように構成される、
請求項22に記載の方法。
【請求項２７】
ワイヤレス通信のためのユーザ機器(UE)であって、
メモリと、
前記メモリに動作可能に結合された1つまたは複数のプロセッサとを備え、前記メモリおよび前記1つまたは複数のプロセッサが、
1つより少ない物理リソースブロック(PRB)のアップリンクリソース割振りを識別する許可を受信することであって、前記許可が、前記アップリンクリソース割振りが含まれる特定のPRBと、前記UEのために割り振られるサブキャリアの少なくともあるグループとを識別し、前記UEが、サブPRBリソース割振りおよび1つまたは複数のPRBのリソース割振りを使用することが可能である、ことと、
前記アップリンクリソース割振りを使用してアップリンクデータを送信することとを行うように構成される、
UE。
【請求項２８】
前記アップリンクリソース割振りがさらに、前記特定のPRBが含まれる狭帯域を識別する、
請求項27に記載のUE。
【請求項２９】
前記特定のPRBが、前記UEがその上で通信するように構成される狭帯域のすべてのPRBより少ないものを含むPRBのあらかじめ定められたグループから選択される、
請求項27に記載のUE。
【請求項３０】
PRBの前記あらかじめ定められたグループの構成が無線リソース制御シグナリングを使用して示される、
請求項29に記載のUE。
【発明の詳細な説明】
【技術分野】
【０００１】
本開示の態様は全体的にワイヤレス通信に関し、より詳細には、マシンタイプ通信(MTC)のためのサブ物理リソースブロック(PRB)リソース割振りのための技法および装置に関する。本明細書で説明するいくつかの技法および装置は、リソース割振りの効率の向上のために構成されるワイヤレス通信デバイスおよびシステムを可能にし、提供する。
【背景技術】
【０００２】
ワイヤレス通信システムは、電話、ビデオ、データ、メッセージング、およびブロードキャストなどの、様々な電気通信サービスを提供するために広く展開されている。代表的なワイヤレス通信システムは、利用可能なシステムリソース(たとえば、帯域幅、送信電力など)を共有することによって複数のユーザとの通信をサポートすることができる多元接続技術を使用する場合がある。そのような多元接続技術の例は、符号分割多元接続(CDMA(登録商標))システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)、ロングタームエボリューション(LTE)を含む。LTE/LTE-Advancedは、第3世代パートナーシッププロジェクト(3GPP)によって公表されたユニバーサルモバイル電気通信システム(UMTS)モバイル標準規格に対する拡張規格のセットである。
【０００３】
ワイヤレス通信ネットワークは、いくつかのユーザ機器(UE)のための通信をサポートできるいくつかの基地局(BS)を含んでもよい。UEは、ダウンリンクおよびアップリンクを介してBSと通信してもよい。ダウンリンク(または、順方向リンク)は、BSからUEへの通信リンクを指し、アップリンク(または、逆方向リンク)は、UEからBSへの通信リンクを指す。より詳細に説明するように、BSは、ノードB、gNB、アクセスポイント(AP)、無線ヘッド、送信受信ポイント(TRP)、新無線(NR)BS、5GノードBなどと呼ばれることもある。
【０００４】
上記の多元接続技術は、異なるワイヤレス通信デバイスが都市規模、国家規模、地域規模、場合によっては地球規模で通信することを可能にする共通プロトコルを提供するために、様々な電気通信規格において採用されている。新無線(NR)は、5Gと呼ばれることもあり、第3世代パートナーシッププロジェクト(3GPP)によって公表されたLTEモバイル規格の拡張規格のセットである。NRは、スペクトル効率を改善すること、コストを削減すること、サービスを改善すること、新たなスペクトルを利用すること、ならびにダウンリンク(DL)上でサイクリックプレフィックス(CP)付き直交周波数分割多重化(OFDM)(CP-OFDM)を使用し、アップリンク(UL)上でCP-OFDMおよび/または(たとえば、離散フーリエ変換拡散ODFM(DFT-s-OFDM:Discrete Fourier Transform spread ODFM)とも呼ばれる)SC-FDMを使用し、かつビームフォーミング、多入力多出力(MIMO)アンテナ技術、およびキャリアアグリゲーションをサポートする、他のオープン規格とより良好に統合することによって、モバイルブロードバンドインターネットアクセスをより良好にサポートするように設計されている。しかしながら、モバイルブロードバンドアクセスに対する需要が増大し続けるにつれて、LTE技術およびNR技術におけるさらなる改善が必要である。好ましくは、これらの改善は、他の多元接続技術、およびこれらの技術を用いる電気通信規格に適用可能であるべきである。
【発明の概要】
【課題を解決するための手段】
【０００５】
以下では、論じる技術の基本的理解を与えるために本開示のいくつかの態様を要約する。この要約は、本開示のすべての企図された特徴の広範な概観ではなく、本開示のすべての態様の主要または重要な要素を識別することも、本開示のいずれかまたはすべての態様の範囲を定めることも意図していない。この概要の唯一の目的は、後で提示するより詳細な説明の前置きとして、本開示の1つまたは複数の態様のいくつかの概念を概要の形で提示することである。
【０００６】
本開示の一態様では、方法、装置、およびコンピュータプログラム製品が提供される。
【０００７】
いくつかの態様では、方法は、UEによって、1つより少ないPRBのアップリンクリソース割振りを識別する許可を受信するステップであって、アップリンクリソース割振りが含まれる特定のPRBと、UEのために割り振られるサブキャリアの少なくともあるグループとを許可が識別する、ステップ、および/または、UEによって、アップリンクリソース割振りを使用してアップリンクデータを送信するステップとを含んでもよい。
【０００８】
いくつかの態様では、装置は、メモリと、メモリに動作可能に結合された少なくとも1つのプロセッサとを含んでもよい。メモリおよび少なくとも1つのプロセッサは、1つより少ないPRBのアップリンクリソース割振りを識別する許可を受信することであって、アップリンクリソース割振りが含まれる特定のPRBと、装置のために割り振られるサブキャリアの少なくともあるグループとを許可が識別する、受信すること、および/または、アップリンクリソース割振りを使用してアップリンクデータを送信することを行うように構成されてもよい。
【０００９】
いくつかの態様では、装置は、1つより少ないPRBのアップリンクリソース割振りを識別する許可を受信するための手段であって、アップリンクリソース割振りが含まれる特定のPRBと、装置のために割り振られるサブキャリアの少なくともあるグループとを許可が識別する、手段、および/または、アップリンクリソース割振りを使用してアップリンクデータを送信するための手段とを含んでもよい。
【００１０】
いくつかの態様では、コンピュータプログラム製品は、コンピュータ実行可能コードを記憶する非一時的コンピュータ可読媒体を含んでもよい。コードは、1つより少ないPRBのアップリンクリソース割振りを識別する許可を受信するためのコードであって、アップリンクリソース割振りが含まれる特定のPRBと、UEのために割り振られるサブキャリアの少なくともあるグループとを許可が識別する、コード、および/または、アップリンクリソース割振りを使用してアップリンクデータを送信するためのコードを含んでもよい。
【００１１】
いくつかの態様では、方法は、UEによって、1つより少ないPRBのアップリンクリソース割振りを識別する許可を受信するステップであって、アップリンクリソース割振りに関連付けられるトランスポートブロックがマッピングされるべきサブフレームまたはリソースユニットの数を許可が識別する、ステップ、および/または、UEによって、サブフレームまたはリソースユニットのその数に少なくとも部分的に基づいて周波数ホッピング技法を判定するステップを含んでもよい。
【００１２】
いくつかの態様では、装置は、メモリと、メモリに動作可能に結合された少なくとも1つのプロセッサとを含んでもよい。メモリおよび少なくとも1つのプロセッサは、1つより少ないPRBのアップリンクリソース割振りを識別する許可を受信することであって、アップリンクリソース割振りに関連付けられるトランスポートブロックがマッピングされるべきサブフレームまたはリソースユニットの数を許可が識別する、受信すること、および/または、サブフレームまたはリソースユニットのその数に少なくとも部分的に基づいて周波数ホッピング技法を判定することを行うように構成されてもよい。
【００１３】
いくつかの態様では、装置は、1つより少ないPRBのアップリンクリソース割振りを識別する許可を受信するための手段であって、アップリンクリソース割振りに関連付けられるトランスポートブロックがマッピングされるべきサブフレームまたはリソースユニットの数を許可が識別する、手段、および/または、サブフレームまたはリソースユニットのその数に少なくとも部分的に基づいて周波数ホッピング技法を判定するための手段を含んでもよい。
【００１４】
いくつかの態様では、コンピュータプログラム製品は、コンピュータ実行可能コードを記憶する非一時的コンピュータ可読媒体を含んでもよい。コードは、1つより少ないPRBのアップリンクリソース割振りを識別する許可を受信するためのコードであって、アップリンクリソース割振りに関連付けられるトランスポートブロックがマッピングされるべきサブフレームまたはリソースユニットの数を許可が識別する、コード、および/または、サブフレームまたはリソースユニットのその数に少なくとも部分的に基づいて周波数ホッピング技法を判定するためのコードを含んでもよい。
【００１５】
いくつかの態様では、方法は、UEによって、1つより少ないPRBのアップリンクリソース割振りを識別する許可を受信するステップ、および/または、UEによって、1つより少ないPRBのアップリンクリソース割振りを識別する許可に少なくとも部分的に基づいて再チューニング動作を実行するステップを含んでもよい。
【００１６】
いくつかの態様では、装置は、メモリと、メモリに動作可能に結合された少なくとも1つのプロセッサとを含んでもよい。メモリおよび少なくとも1つのプロセッサは、1つより少ないPRBのアップリンクリソース割振りを識別する許可を受信すること、および/または、1つより少ないPRBのアップリンクリソース割振りを識別する許可に少なくとも部分的に基づいて再チューニング動作を実行することを行うように構成されてもよい。
【００１７】
いくつかの態様では、装置は、1つより少ないPRBのアップリンクリソース割振りを識別する許可を受信するための手段、および/または、1つより少ないPRBのアップリンクリソース割振りを識別する許可に少なくとも部分的に基づいて再チューニング動作を実行するための手段を含んでもよい。
【００１８】
いくつかの態様では、コンピュータプログラム製品は、コンピュータ実行可能コードを記憶する非一時的コンピュータ可読媒体を含んでもよい。コードは、1つより少ないPRBのアップリンクリソース割振りを識別する許可を受信するためのコード、および/または、1つより少ないPRBのアップリンクリソース割振りを識別する許可に少なくとも部分的に基づいて再チューニング動作を実行するためのコードを含んでもよい。
【００１９】
各態様は、一般に、添付の図面および本明細書を参照しながら本明細書で十分に説明され、添付の図面および本明細書によって示される、方法、装置、システム、コンピュータプログラム製品、非一時的コンピュータ可読媒体、ユーザ機器、ワイヤレス通信デバイス、および処理システムを含む。
【００２０】
上では、以下の発明を実施するための形態をより良く理解できるように、本開示による例の特徴および技術的利点をかなり広範に概説した。追加の特徴および利点について以下で説明する。開示される概念および具体例は、本開示の同じ目的を実行するために他の構造を変更または設計するための基礎として容易に利用されることがある。そのような均等な構成は、添付の特許請求の範囲から逸脱しない。本明細書で開示される概念の特性、それらの構成と動作方法の両方が、関連する利点とともに、添付の図に関して検討されると以下の説明からより良く理解されよう。図の各々は、例示および説明のために提供され、特許請求の範囲の限定の定義として提供されるものではない。
【図面の簡単な説明】
【００２１】
【図１】ワイヤレス通信ネットワークの一例を示す図である。
【図２】ワイヤレス通信ネットワークにおいてユーザ機器(UE)と通信している基地局の一例を示す図である。
【図３】ワイヤレス通信ネットワークにおけるフレーム構造の一例を示す図である。
【図４】MTC UEのためのサブPRBリソース割振りを割り振ることの一例を示す図である。
【図５】MTC UEのためのサブPRBリソース割振りに関する周波数ホッピングの一例を示す図である。
【図６】ワイヤレス通信の方法のフローチャートである。
【図７】ワイヤレス通信の方法の別のフローチャートである。
【図８】ワイヤレス通信の方法の別のフローチャートである。
【図９】例示的な装置内のそれぞれに異なるモジュール/手段/構成要素間のデータフローを示す概念データフロー図である。
【図１０】処理システムを採用する装置のためのハードウェア実装形態の一例を示す図である。
【発明を実施するための形態】
【００２２】
添付の図面に関して以下に記載する詳細な説明は、様々な構成の説明として意図されており、本明細書で説明する概念が実践されてもよい構成を表すことは意図されていない。詳細な説明は、様々な概念の完全な理解を可能にすることを目的として具体的な詳細を含む。しかしながら、これらの概念はこれらの具体的な詳細がなくても実践され得ることが、当業者には明らかであろう。いくつかの事例では、そのような概念を不明瞭にすることを避けるために、よく知られている構造および構成要素がブロック図の形態で示される。
【００２３】
次に、様々な装置および方法を参照しながら、電気通信システムのいくつかの態様を提示する。これらの装置および方法について、以下の詳細な説明において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装されてもよい。そのような要素がハードウェアとして実装されるか、ソフトウェアとして実装されるかは、特定の適用例および全体的なシステムに課される設計制約に依存する。
【００２４】
例として、要素、要素の任意の部分、または要素の任意の組合せは、1つまたは複数のプロセッサを含む「処理システム」を用いて実装されてもよい。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。処理システムの中の1つまたは複数のプロセッサは、ソフトウェアを実行してもよい。ソフトウェアは、ソフトウェア、ファームウェア、ミドルウェア、マイクロコード、ハードウェア記述言語、またはそれ以外のものとして言及されているかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、ファンクション等を意味するものと広く解釈されるものとする。
【００２５】
したがって、1つまたは複数の例示的な実施形態では、説明する機能は、ハードウェア、ソフトウェア、ファームウェア、またはそれらの任意の組合せで実装されてもよい。ソフトウェアで実装される場合、機能は、1つまたは複数の命令またはコードとしてコンピュータ可読媒体上に記憶されるか、または符号化されてもよい。コンピュータ可読媒体は、コンピュータ記憶媒体を含む。記憶媒体は、コンピュータによってアクセス可能な任意の利用可能な媒体であってもよい。限定ではなく例として、そのようなコンピュータ可読媒体は、ランダムアクセスメモリ(RAM)、読取り専用メモリ(ROM)、電気的消去可能プログラマブルROM(EEPROM)、コンパクトディスクROM(CD-ROM)もしくは他の光ディスクストレージ、磁気ディスクストレージもしくは他の磁気記憶デバイス、前述したタイプのコンピュータ可読媒体の組合せ、またはコンピュータによってアクセスできる命令もしくはデータ構造の形態でコンピュータ実行可能コードを記憶するのに使用できる任意の他の媒体を含むことができる。
【００２６】
アクセスポイント(「AP」)は、ノードB、無線ネットワークコントローラ(「RNC」)、eノードB(eNB)、基地局コントローラ(「BSC」)、トランシーバ基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、ノードB(NB)、gNB、5G NB、NR BS、送信受信ポイント(TRP)、または何らかの他の用語を含み、それらとして実装され、またはそのように呼ばれることがある。
【００２７】
アクセス端末(「AT」)は、アクセス端末、加入者局、加入者ユニット、移動局、遠隔局、遠隔端末、ユーザ端末、ユーザエージェント、ユーザデバイス、ユーザ機器(UE)、ユーザ局、ワイヤレスノード、もしくは何らかの他の用語を含み、それらとして実装され、またはそのように呼ばれる場合がある。いくつかの実装形態では、アクセス端末は、セルラー電話、スマートフォン、コードレス電話、セッション開始プロトコル(「SIP」)電話、ワイヤレスローカルループ(「WLL」)局、携帯情報端末(「PDA」)、タブレット、ネットブック、スマートブック、ウルトラブック、ワイヤレス接続機能を有するハンドヘルドデバイス、局(「STA」)、または、ワイヤレスモデムに接続されたなにか他の適切な処理デバイスを備えてもよい。したがって、本明細書で教示する1つまたは複数の態様は、電話(たとえば、セルラーフォン、スマートフォン)、コンピュータ(たとえば、デスクトップ)、ポータブル通信デバイス、ポータブルコンピューティングデバイス(たとえば、ラップトップ、携帯情報端末、タブレット、ネットブック、スマートブック、ウルトラブック)、ウェアラブルデバイス(たとえば、スマートウォッチ、スマートグラス、スマートブレスレット、スマートリストバンド、スマートリング、スマートクロージングなど)、医療デバイスもしくは機器、生体センサー/デバイス、エンターテインメントデバイス(たとえば、音楽デバイス、ビデオデバイス、衛星ラジオ、ゲームデバイスなど)、車両構成要素もしくはセンサー、スマートメーター/センサー、産業用製造機器、全地球測位システムデバイス、または、ワイヤレスもしくはワイヤード媒体を介して通信するように構成される任意の他の好適なデバイスに組み込まれてもよい。いくつかの態様では、ノードはワイヤレスノードである。ワイヤレスノードは、たとえば、ワイヤード通信リンクまたはワイヤレス通信リンクを介して、ネットワーク(たとえば、インターネットまたはセルラーネットワークなどのワイドエリアネットワーク)のための、またはネットワークへの接続性を実現してもよい。
【００２８】
いくつかのUEは、マシンタイプ通信(MTC)UEと見なされる場合があり、MTC UEは、基地局、別のリモートデバイス、または何らかの他のエンティティと通信することがあるリモートデバイスを含んでもよい。マシンタイプ通信(MTC)は、通信の少なくとも一端上の少なくとも1つのリモートデバイスを伴う通信を指す場合があり、必ずしも人間の対話を必要とするとは限らない1つまたは複数のエンティティを伴うデータ通信の形態を含んでもよい。MTC UEは、たとえば、パブリックランドモバイルネットワーク(PLMN)を介したMTCサーバおよび/または他のMTCデバイスとのMTC通信が可能なUEを含んでもよい。MTCデバイスの例には、センサー、メーター、位置タグ、モニタ、ドローン、ロボット/ロボティックデバイスなどが含まれる。いくつかの態様では、MTCデバイスは、拡張MTC(eMTC)デバイス、LTEカテゴリM1(LTE-M)デバイス、マシンツーマシン(M2M)デバイスなどと呼ばれる場合がある。追加または代替として、いくつかのUEは狭帯域モノのインターネット(NB-IoT)デバイスであってもよい。
【００２９】
本明細書では3Gおよび/または4Gワイヤレス技術に一般的に関連する用語を使用して、態様について説明する場合があるが、本開示の態様は、NR技術を含む5G以降など、他の世代ベースの通信システムにおいて適用されてもよいことに留意されたい。
【００３０】
いくつかの例に対する例示によって本出願で態様および実施形態が説明されるが、多くの異なる構成およびシナリオにおいて追加の実装形態および使用事例が生じ得ることを当業者は理解されよう。本明細書で説明する革新は、多くの異なるプラットフォームタイプ、デバイス、システム、形状、サイズ、パッケージング構成にわたって実装されてもよい。たとえば、実施形態および/または用途は、集積チップの実施形態および/または他の非モジュール構成要素ベースのデバイス(たとえば、エンドユーザデバイス、車両、通信デバイス、コンピューティングデバイス、産業機器、小売/購買デバイス、医療デバイス、人工知能対応デバイスなど)を介して生じる場合がある。いくつかの例は、特に使用事例または適用例を対象とする場合もしない場合もあるが、説明する革新の幅広い種類の適用可能性が生じる場合がある。実装形態は、チップレベルまたはモジュール式の構成要素から、非モジュール式、非チップレベルの実装形態まで、さらには、説明する革新の1つまたは複数の態様を組み込む、集約型、分散型、またはoriginal equipment manufacturerデバイスもしくはシステムまでの範囲に及ぶ場合がある。いくつかの実際的な設定では、説明する態様および特徴を組み込むデバイスは、特許請求し説明する実施形態の実装および実践のための追加の構成要素および特徴も必然的に含む場合がある。たとえば、ワイヤレス信号の送信および受信は、アナログ用およびデジタル用のいくつかの構成要素(たとえば、1つまたは複数のアンテナ、無線周波数チェーン、電力増幅器、変調器、バッファ、プロセッサ、インターリーバ、加算器(adder)/加算器(summer)などを含む、ハードウェア構成要素)を必然的に含む。本明細書で説明する革新が、様々なサイズ、形状、および構造の、多種多様なデバイス、チップレベル構成要素、システム、分散型構成、エンドユーザデバイスなどにおいて実践され得ることが意図される。
【００３１】
図1は、本開示の態様が実践されてもよいネットワーク100を示す図である。ネットワーク100は、LTEネットワーク、または5GもしくはNRネットワークなどの何らかの他のワイヤレスネットワークであってよい。ワイヤレスネットワーク100は、いくつかのBS110(BS110a、BS110b、BS110c、およびBS110dとして示されている)と、他のネットワークエンティティとを含んでもよい。BSは、ユーザ機器(UE)と通信するエンティティであり、基地局、NR BS、ノードB、gNB、5G NB、アクセスポイント、TRPなどと呼ばれることもある。各BSは、特定の地理的エリア用の通信カバレージを実現してもよい。3GPPでは、「セル」という用語は、その用語が使用されるコンテキストに応じて、BSのカバレージエリア、および/またはこのカバレージエリアをサービスしているBSサブシステムを指すことができる。
【００３２】
BSは、マクロセル、ピコセル、フェムトセル、および/または他のタイプのセルのための通信カバレージを実現してもよい。マクロセルは、比較的大きい地理的エリア(たとえば、半径数キロメートル)をカバーしてもよく、サービスに加入しているUEによる無制限アクセスを可能にしてもよい。ピコセルは、比較的小さい地理的エリアをカバーしてもよく、サービスに加入しているUEによる無制限アクセスを可能にしてもよい。フェムトセルは、比較的小さい地理的エリア(たとえば、自宅)をカバーしてもよく、フェムトセルとの関連付けを有するUE(たとえば、限定加入者グループ(CSG)内のUE)による制限付きアクセスを可能にしてもよい。マクロセルのためのBSは、マクロBSと呼ばれることがある。ピコセルのためのBSは、ピコBSと呼ばれることがある。また、フェムトセルのためのBSは、フェムトBSまたはホームBSと呼ばれることがある。図1に示す例では、BS110aは、マクロセル102aのためのマクロBSであってもよく、BS110bは、ピコセル102bのためのピコBSであってもよく、BS110cは、フェムトセル102cのためのフェムトBSであってもよい。BSは1つまたは複数(たとえば、3つ)のセルをサポートしてもよい。「eNB」、「基地局」、「NR BS」、「gNB」、「TRP」、「AP」、「ノードB」、「5G NB」、および「セル」という用語が互換的に使用されてもよい。
【００３３】
いくつかの例では、セルは、必ずしも静止しているとは限らないことがあり、セルの地理的エリアは、モバイルBSのロケーションに従って移動してもよい。いくつかの例では、BSは、任意の好適なトランスポートネットワークを使用して、直接物理接続、仮想ネットワークなど、様々なタイプのバックホールインターフェースを通して、アクセスネットワーク100内で互いに相互接続されてもよく、および/または1つまたは複数の他のBSもしくはネットワークノード(図示せず)に相互接続されてもよい。
【００３４】
ワイヤレスネットワーク100はまた、中継局を含んでもよい。中継局は、上流局(たとえば、BSまたはUE)からデータの送信を受信でき、そのデータの送信を下流局(たとえば、UEまたはBS)に送ることができるエンティティである。中継局はまた、他のUEのための送信を中継できるUEであってもよい。図1に示す例では、中継局110dは、BS110aとUE120dとの間の通信を容易にするために、マクロBS110aおよびUE120dと通信してもよい。中継局は、中継BS、中継基地局、リレーなどと呼ばれることもある。
【００３５】
ワイヤレスネットワーク100は、異なるタイプのBS、たとえば、マクロBS、ピコBS、フェムトBS、中継BSなどを含む、異種ネットワークであってよい。これらの異なるタイプのBSは、ワイヤレスネットワーク100において、異なる送信電力レベル、異なるカバレージエリア、および干渉に対する異なる影響を有してもよい。たとえば、マクロBSは、高い送信電力レベル(たとえば、5〜40ワット)を有してもよく、一方、ピコBS、フェムトBS、および中継BSは、より低い送信電力レベル(たとえば、0.1〜2ワット)を有してもよい。
【００３６】
ネットワークコントローラ130は、BSのセットに結合してもよく、これらのBSのための協働および制御を行ってもよい。ネットワークコントローラ130は、バックホールを経由してBSと通信してもよい。BSはまた、たとえば、ワイヤレスまたはワイヤラインのバックホールを経由して直接または間接的に互いに通信してもよい。
【００３７】
UE120(たとえば、120a、120b、120c)はワイヤレスネットワーク100全体にわたって分散されてもよく、各UEは固定されてもよく、またはモバイルであってもよい。UEは、アクセス端末、端末、移動局、加入者ユニット、ステーションなどと呼ばれることもある。UEは、携帯電話(たとえば、スマートフォン)、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、タブレット、カメラ、ゲームデバイス、ネットブック、スマートブック、ウルトラブック、医療デバイスもしくは医療機器、生体センサー/デバイス、(スマートウォッチ、スマートクロージング、スマートグラス、スマートリストバンド、スマートジュエリー(たとえば、スマートリング、スマートブレスレットなど)などの)ウェアラブルデバイス、エンターテインメントデバイス(たとえば、音楽デバイス、ビデオデバイス、衛星ラジオなど)、車両の構成要素もしくはセンサー、スマートメーター/センサー、産業用製造機器、全地球測位システムデバイス、または、ワイヤレス媒体もしくはワイヤード媒体を介して通信するように構成される任意の他の適切なデバイスであってもよい。いくつかのUEは、発展型または拡張マシンタイプ通信(eMTC)UEと見なされてもよい。MTC UEおよびeMTC UEは、たとえば、基地局、別のデバイス(たとえば、リモートデバイス)、またはいくつかの他のエンティティと通信することがある、ロボット、ドローン、センサー、メーター、モニタ、ロケーションタグなどのリモートデバイスなどを含む。ワイヤレスノードは、たとえば、ワイヤード通信リンクまたはワイヤレス通信リンクを介して、ネットワーク(たとえば、インターネットまたはセルラーネットワークなどのワイドエリアネットワーク)のための、またはネットワークへの接続性を実現してもよい。一部のUEは、モノのインターネット(IoT)デバイスと見なされてもよい。一部のUEは、顧客構内機器(CPE)と見なされてもよい。
【００３８】
図1において、両矢印を有する実線は、UEとサービングBSとの間の所望の送信を示し、サービングBSは、ダウンリンク上および/またはアップリンク上でUEをサービスするように指定されたBSである。両矢印を有する破線は、UEとBSとの間の潜在的に干渉する送信を示す。
【００３９】
一般に、任意の数のワイヤレスネットワークが、所与の地理的エリアにおいて展開される場合がある。各ワイヤレスネットワークは、特定のRATをサポートしてもよく、1つまたは複数の周波数で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、NRまたは5G RATネットワークが展開されてもよい。
【００４０】
いくつかの例では、エアインターフェースへのアクセスがスケジュールされてもよく、スケジューリングエンティティ(たとえば、基地局)は、そのサービスエリアまたはセル内のいくつかまたはすべてのデバイスおよび機器の間で通信用のリソースを割り振る。本開示内で、以下でさらに論じるように、スケジューリングエンティティは、1つまたは複数の従属エンティティのためのリソースのスケジューリング、割当て、再構成、および解放を担ってもよい。すなわち、スケジュールされた通信のために、従属エンティティは、スケジューリングエンティティによって割り振られるリソースを利用する。
【００４１】
基地局は、スケジューリングエンティティとして機能する場合がある唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能してもよい。この例では、UEは、スケジューリングエンティティとして機能しており、他のUEは、ワイヤレス通信のためにUEによってスケジュールされたリソースを利用する。UEは、ピアツーピア(P2P)ネットワーク内、および/またはメッシュネットワーク内で、スケジューリングエンティティとして機能してもよい。メッシュネットワーク例では、UEは、スケジューリングエンティティと通信することに加えて、随意に互いに直接通信してもよい。
【００４２】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信してもよい。
【００４３】
上記のように、図1は単に例として示されている。他の例が可能であり、図1に関して説明したことと異なってもよい。
【００４４】
図2は、図1の基地局の1つである場合があるBS110および図1のUEの1つである場合があるUE120の設計のブロック図200を示している。BS110はT個のアンテナ234a〜234tを備えてもよく、UE120はR個のアンテナ252a〜252rを備えてもよく、ただし、一般にT≧1およびR≧1である。
【００４５】
BS110において、送信プロセッサ220は、データソース212から1つまたは複数のUEのためのデータを受信し、UEから受信されたチャネル品質インジケータ(CQI)に少なくとも部分的に基づいて各UE用の1つまたは複数の変調およびコーディング方式(MCS)を選択し、UE用に選択されたMCSに少なくとも部分的に基づいて各UE用のデータを処理(たとえば、符号化および変調)し、データシンボルをすべてのUEに与えてもよい。送信プロセッサ220はまた、(たとえば、半静的リソース区分情報(SRPI)などについての)システム情報および制御情報(たとえば、CQI要求、許可、上位レイヤシグナリングなど)を処理し、オーバーヘッドシンボルおよび制御シンボルを与えてもよい。送信プロセッサ220はまた、基準信号(たとえば、セル固有基準信号(CRS))および同期信号(たとえば、1次同期信号(PSS)および2次同期信号(SSS))のための基準シンボルを生成してもよい。送信(TX)多入力多出力(MIMO)プロセッサ230は、適用可能な場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに与えてもよい。各変調器232は、(たとえば、OFDM用などに)それぞれの出力シンボルストリームを処理して出力サンプルストリームを取得してもよい。各変調器232は、出力サンプルストリームをさらに処理(たとえば、アナログに変換、増幅、フィルタ処理、およびアップコンバート)して、ダウンリンク信号を取得してもよい。変調器232a〜232tからのT個のダウンリンク信号は、それぞれ、T個のアンテナ234a〜234tを介して送信されてもよい。本明細書で以下に詳しく説明するいくつかの態様によれば、同期信号を位置符号化によって生成して追加の情報を伝達することができる。
【００４６】
UE120において、アンテナ252a〜252rは、BS110および/または他の基地局からダウンリンク信号を受信してもよく、それぞれ、受信信号を復調器(DEMOD)254a〜254rに与えてもよい。各復調器254は、それぞれの受信信号を調整(たとえば、フィルタリング、増幅、ダウンコンバート、およびデジタル化)して、入力サンプルを取得してもよい。各復調器254は、(たとえば、OFDM用などに)入力サンプルをさらに処理して受信シンボルを取得してもよい。MIMO検出器256は、すべてのR個の復調器254a〜254rから受信シンボルを取得し、適用可能な場合、受信シンボルに対してMIMO検出を実行し、検出されたシンボルを供給してもよい。受信(RX)プロセッサ258は、検出されたシンボルを処理(たとえば、復調および復号)し、UE120のための復号データをデータシンク260に与え、復号された制御情報およびシステム情報をコントローラ/プロセッサ280に与えてもよい。チャネルプロセッサは、基準信号受信電力またはRSRP、受信信号強度インジケータまたはRSSI、基準信号受信品質またはRSRQ、チャネル品質インジケータまたはCQIなどを判定してもよい。
【００４７】
アップリンク上では、UE120において、送信プロセッサ264は、データソース262からのデータ、およびコントローラ/プロセッサ280からの(たとえば、RSRP、RSSI、RSRQ、CQIなどを備える報告用の)制御情報を、受信および処理してもよい。送信プロセッサ264はまた、1つまたは複数の基準信号用の基準シンボルを生成してもよい。送信プロセッサ264からのシンボルは、適用可能な場合、TX MIMOプロセッサ266によってプリコーディングされ、変調器254a〜254rによって(たとえば、DFT-s-OFDM、CP-OFDMなどのために)さらに処理され、BS110へ送信されてもよい。BS110において、UE120および他のUEからのアップリンク信号は、アンテナ234によって受信され、復調器232によって処理され、該当する場合はMIMO検出器236によって検出され、受信プロセッサ238によってさらに処理されて、UE120によって送られた復号されたデータおよび制御情報を取得してもよい。受信プロセッサ238は、復号されたデータをデータシンク239に供給し、復号された制御情報をコントローラ/プロセッサ240に供給してもよい。BS110は、通信ユニット244を含み、通信ユニット244を介してネットワークコントローラ130と通信してもよい。ネットワークコントローラ130は、通信ユニット294と、コントローラ/プロセッサ290と、メモリ292とを含んでもよい。
【００４８】
コントローラ/プロセッサ240および280ならびに/または図2における任意の他の構成要素は、それぞれBS110およびUE120における動作に、MTCのためのサブPRBリソース割振りを実行するように指示してもよい。たとえば、BS110におけるコントローラ/プロセッサ280ならびに/または他のプロセッサおよびモジュールは、MTCのためのサブPRBリソース割振りを実行するようにUE120の動作を実行し、またはそのように指示してもよい。たとえば、コントローラ/プロセッサ280ならびに/またはBS110における他のコントローラ/プロセッサおよびモジュールは、たとえば、図6の方法600、図7の方法700、図8の方法800、および/または本明細書で説明する他のプロセスの動作を実行または指示してもよい。いくつかの態様では、図2に示す構成要素のうちの1つまたは複数は、図6の例示的な方法600、図7の例示的な方法700、図8の例示的な方法800、および/または本明細書で説明する技法のための他のプロセスを実行するために用いられてもよい。メモリ242および282は、それぞれBS110およびUE120のためのデータおよびプログラムコードを記憶してもよい。スケジューラ246は、ダウンリンク上および/またはアップリンク上のデータ送信に対してUEをスケジュールしてもよい。
【００４９】
上記のように、図2は単に例として示されている。他の例が可能であり、図2に関して説明したことと異なってもよい。
【００５０】
図3は、電気通信システム(たとえば、LTE)における周波数分割多重化(FDD)のための例示的なフレーム構造300を示す。ダウンリンクおよびアップリンクの各々に対する送信タイムラインは、無線フレームの単位に区分されてもよい。各無線フレームは、所定の持続時間(たとえば、10ミリ秒(ms))を有してもよく、0〜9というインデックスを有する10個のサブフレームに区分されてもよい。各サブフレームは2個のスロットを含んでもよい。各無線フレームは、0〜19というインデックスを有する20個のスロットをそのように含んでもよい。各スロットは、L個のシンボル期間、たとえば、(図3に示すように)ノーマルサイクリックプレフィックスに対して7個のシンボル期間、または拡張サイクリックプレフィックスに対して6個のシンボル期間を含んでもよい。各サブフレームにおける2L個のシンボル期間には、0〜2L-1のインデックスが割り当てられてもよい。
【００５１】
本明細書ではいくつかの技法についてフレーム、サブフレーム、スロットなどに関して説明するが、これらの技法は、他の種類のワイヤレス通信構造に同様に適用されてもよく、そのようなワイヤレス通信構造は、NRにおける「フレーム」、「サブフレーム」、「スロット」など以外の用語で呼ばれることがある。いくつかの態様では、ワイヤレス通信構造は、ワイヤレス通信規格および/またはプロトコルによって定義される周期的な時間制限通信ユニットを指す場合がある。
【００５２】
特定の電気通信(たとえば、LTE)において、BSは、BSによってサポートされるセルごとのシステム帯域幅の中心において、ダウンリンク上で1次同期信号(PSS)および2次同期信号(SSS)を送信してもよい。PSSおよびSSSは、図3に示すように、それぞれ、ノーマルサイクリックプレフィックスを有する各無線フレームのサブフレーム0および5の中で、シンボル期間6および5において送信されてもよい。PSSおよびSSSは、セル探索およびセル捕捉のためにUEによって使用されてもよい。BSは、BSによってサポートされるセルごとのシステム帯域幅にわたってセル固有基準信号(CRS)を送信してもよい。CRSは、各サブフレームのいくつかのシンボル期間の中で送信されてよく、チャネル推定、チャネル品質測定、および/または他の機能を実行するためにUEによって使用されてもよい。BSはまた、いくつかの無線フレームのスロット1の中のシンボル期間0〜3の中で物理ブロードキャストチャネル(PBCH)を送信してもよい。PBCHは、いくつかのシステム情報を搬送してもよい。BSは、いくつかのサブフレーム中の物理ダウンリンク共有チャネル(PDSCH)上で、システム情報ブロック(SIB)などの他のシステム情報を送信してもよい。BSは、サブフレームの最初のB個のシンボル期間の中で物理ダウンリンク制御チャネル(PDCCH)上で制御情報/データを送信してもよく、ここで、Bはサブフレームごとに構成可能であってよい。BSは、各サブフレームの残りのシンボル期間の中でPDSCH上でトラフィックデータおよび/または他のデータを送信してもよい。
【００５３】
(たとえば、NRまたは5Gシステムなどの)他のシステムでは、ノードBは、サブフレームのこれらのロケーションまたは異なるロケーションにおいて、これらまたは他の信号を送信してもよい。
【００５４】
上記のように、図3は単に例として示されている。他の例が可能であり、図3に関して説明したことと異なってもよい。
【００５５】
マシンタイプ通信(MTC)は、人の介入を伴わない、または少ない介入を伴う、機械間での自動的なデータの生成、交換、処理、および作動によって特徴付けられる場合がある。たとえば、MTCデバイスは、人によって監視または操作されない装置の現場展開において使用される場合がある。MTCデバイスの例および分類は、たとえば、カテゴリM UE、カテゴリM1 UE、およびカテゴリM2 UEを含む場合がある。第3世代パートナーシッププロジェクト(3GPP)は、3GPPリリース13、14、および15によって定められる拡張MTC(eMTC)、ならびに狭帯域モノのインターネット(NB-IoT)規格などの、MTC UEとの通信がどのように扱われるかを規定する、様々な規格およびリリースを定めた。
【００５６】
いくつかのMTCデバイスは、代表的なUEより小さいリソース割振りを使用してもよい。たとえば、MTCデバイスは、代表的なUEほど多くのデータを送信しない場合があるので、MTCデバイスのアップリンクトラフィックのための物理リソースブロック(PRB)全体の割振り(たとえば、全体で84個のシンボルに対して、各々12個のシンボルを有する7個のサブキャリア)は無駄であり不要である場合がある。しかしながら、アップリンクトラフィックのために1つより少ないPRBを単純に割り振ることは十分ではない場合がある。たとえば、周波数ホッピング、トランスポートブロックサイズ(TBS)マッピング、再チューニングなどのMTCデバイスのいくつかの特徴は、サブPRBリソース割振りに関して適切に機能するために、特別な構成を必要とする場合がある。
【００５７】
本明細書で説明するいくつかの技法および装置は、eMTCデバイスのためのサブPRB割振りを提供する。いくつかの態様では、本明細書で説明する技法および装置は、サブPRB割振りとより大きな帯域幅(たとえば、1つのPRB以上)での割振りとの動的な切替えを提供し、このことは、リソース割振りの汎用性およびネットワークの性能を改善する。追加または代替として、本明細書で説明するいくつかの技法および装置は、サブPRB割振りのための柔軟性が限られたリソース割振り技法を提供する場合があり、これは、サブPRB割振りを識別するリソース割振りフィールドのサイズを低減する場合がある。追加または代替として、本明細書で説明するいくつかの技法および装置は、リソース割振りを示すためにダウンリンク制御情報(DCI)ビットまたはMCSエントリを使用する場合があり、このことは、リソース割振りフィールドのサイズをさらに低減する場合がある。本明細書で説明するいくつかの技法および装置はまた、サブPRB割振りのための周波数ホッピング、ならびにサブPRB割振りのパンクチャリングまたはデータ損失を減らすための再チューニングを可能にする場合がある。このようにして、カテゴリM、M1、およびM2のUEまたはeMTC UEなどのMTCデバイスは、周波数ホッピングおよび再チューニングの機能を保ちながら、サブPRBリソース割振りを用いてスケジュールされる場合があり、このことは、リソース割振りの効率およびMTCデバイスの性能を改善する。
【００５８】
図4は、MTC UEのためのサブPRBリソース割振りを割り振ることの一例400を示す図である。
【００５９】
図4において、かつ参照番号405によって示すように、UE120は、スケジューリングエンティティ(たとえば、BS110など)から許可を受信してもよい。許可は、以下でより詳細に説明するような、サブPRBアップリンクリソース割振りのための許可であってもよい。いくつかの態様では、許可は、PDCCH、mPDCCH、ePDCCHなどの、物理ダウンリンク制御チャネル(PDCCH)において提供されてもよい。さらに示すように、許可は、UE120のためのアップリンクリソース割振りを識別してもよい。いくつかの態様では、リソース割振りは、eMTCのための3GPPリリース13において規定されるフォーマットまたは異なるフォーマットなどの、特定のフォーマットに少なくとも部分的に基づいてフォーマットされてもよい。
【００６０】
いくつかの態様では、BS110は、UE120がサブPRBリソース割振りを使用するように構成されることに少なくとも部分的に基づいて、許可を提供してもよい。たとえば、UE120は、UE120がサブPRBリソース割振りを使用することが可能であること、または使用するように構成されることを示す、能力報告などを提供してもよい。いくつかの態様では、BS110は、UE120がサブPRBリソース割振りを使用するように構成されるときにのみ(たとえば、UE120のシステム帯域幅とは無関係に)、UE120のためにサブPRBリソース割振りを割り振ってもよい。
【００６１】
いくつかの態様では、UE120が第1の最大送信帯域幅(たとえば、最高で6個のPRBに関連付けられる1.4MHz)のために構成されるとき、BS110は、サブPRBリソース割振りならびに第1の最大送信帯域幅に関連付けられるPRBの数を割り振ってもよい(たとえば、サブPRBリソース割振りならびに1〜6個のPRB)。これは、サブPRBリソース割振りのためのリソース割振り状態の再使用を可能にする場合がある。いくつかの態様では、UE120が第2の最大送信帯域幅(たとえば、5MHz)のために構成されるとき、BS110は、サブPRBリソース割振りならびに第2の最大送信帯域幅に関連付けられるPRBの数を割り振ってもよい(たとえば、サブPRBリソース割振りならびに最高で24個のPRB)。これは、無線リソース制御再構成を必要とすることなく、UE120をスケジュールする際により高い柔軟性をBS110に与える場合がある。
【００６２】
示すように、アップリンクリソース割振りは、狭帯域インデックス(たとえば、3)を識別してもよい。たとえば、UE120は、それぞれのインデックスに関連付けられる場合がある1つまたは複数の狭帯域上で通信するように構成されてもよい。狭帯域インデックスは、アップリンクリソース割振りが含まれる狭帯域を識別してもよい。本明細書で使用する場合、狭帯域は、MTC UEがその上で通信する場合がある帯域、チャネル、またはサブチャネルを指す場合がある。たとえば、狭帯域は、200kHz、1.4MHz(6個のリソースブロック(RB)に対応する)、5MHz、または別の帯域幅であってもよい。
【００６３】
いくつかの態様では、狭帯域は、あらかじめ定められた狭帯域のグループから選択されてもよい。たとえば、UE120は、サブPRBリソース割振りに関連付けられるアップリンク送信のために、あらかじめ定められた狭帯域のグループのうちの1つを使用するように構成されてもよい。BS110は、あらかじめ定められた狭帯域のグループのうちの1つ(たとえば、狭帯域3)を選択してもよく、以下で説明するように、アップリンクデータを搬送するために選択された狭帯域のPRBを識別してもよい。
【００６４】
さらに示すように、許可はリソースブロック(たとえば、RBまたはPRB)を識別してもよい。ここで、リソースブロックは2というインデックスによって識別される。いくつかの態様では、リソースブロックは、別の方式で(たとえば、暗黙的に、または明示的に)識別されてもよい。リソースブロックを識別することによって、許可は、UE120がアップリンクトラフィックを提供するために1つより少ないPRB(たとえば、許可によって識別されるPRBのすべてよりも少ないもの)を使用することを可能にし、このことは、ネットワークリソースの割振りの効率を改善する。いくつかの態様では、許可は2つ以上のPRBを識別してもよい。たとえば、許可は、2つ以上のPRBのそれぞれの部分を識別してもよく、第1のPRBの全体および第2のPRBの一部などを識別してもよい。
【００６５】
いくつかの態様では、PRBは、あらかじめ定められたPRBのグループから選択されてもよい。たとえば、UE120は、サブPRBアップリンクトラフィックを搬送するために、あらかじめ定められたPRBのグループのうちの1つまたは複数のみを使用するように構成されてもよい。いくつかの態様では、あらかじめ定められたPRBのグループは、UE120がその上で通信するように構成される狭帯域(たとえば、狭帯域3)のすべてのPRBよりも少ないものを含んでもよい。追加または代替として、選択されたPRBは、選択されたPRBが狭帯域のガードバンドに含まれることに少なくとも部分的に基づいて選択されてもよい。
【００６６】
いくつかの態様では、選択されたPRBは、特定のPRBが狭帯域に含まれないことに少なくとも部分的に基づいて選択されてもよい。たとえば、選択されたPRBは、リリース13のeMTC狭帯域構成に含まれないPRB(たとえば、5MHz狭帯域の中心のPRB、10MHz狭帯域の2つの端のPRBのうちの1つなど)から選択されてもよい。いくつかの態様では、選択されたPRBは、より高次のレイヤ構成に少なくとも部分的に基づいて示されてもよい。
【００６７】
さらに示すように、許可は、リソースブロック2のどのサブキャリアがアップリンクデータを送信するために使用されるべきであるかを示すサブキャリアインデックスを識別する場合がある。ここでは、サブキャリアインデックスは、リソース要素6を識別し、6個のサブキャリアを使用することを示す。たとえば、参照番号410によって示すように、各PRBは12個のサブキャリアを含んでもよい。この場合、許可は、アップリンクデータを送信するために、インデックス6、7、8、9、10、および11に関連付けられるサブキャリアを使用することを示す。いくつかの態様では、各PRBはサブフレームのスロットに対応する場合がある。いくつかの態様では、各PRBはサブフレームまたは異なる長さの時間に対応する場合がある。
【００６８】
いくつかの態様では、サブキャリア割振りによって識別されるサブキャリアのグループは、サブキャリアの複数の重複しないグループから選択されてもよい。たとえば、サブキャリア割振りは、重複しない3個のサブキャリアのグループ、重複しない6個のサブキャリアのグループなどから選択されてもよい。そのような場合、3個のサブキャリアのグループは、リソース要素インデックス0、3、6、および9において開始してもよく、6個のサブキャリアのグループは、リソース要素インデックス0および6において開始してもよい。
【００６９】
いくつかの態様では、完全な柔軟性の手法を使用すること(たとえば、狭帯域の任意のPRBの、任意の数のサブキャリアを割り振ること)は、スケジューリングの柔軟性を向上させる場合がある。リソース割振りビットマッピングサイズを低減するために、BS110は柔軟性が限られたリソース割振りの手法を使用してもよく、この手法において、BS110は、(上で言及したように)PRBおよび/またはサブキャリアグループのすべてのうちのあらかじめ定められたサブセットからPRBおよび/またはサブキャリアグループを選択する。例として、BS110は、3個のサブキャリア、6個のサブキャリア、12個のサブキャリア(たとえば、1つのPRB)、および24個のサブキャリア(たとえば、2つのPRB)のリソース割振りを割り振ってもよい。そのような場合、BS110が狭帯域内の4個のRB(たとえば、狭帯域の全体で6個のRBのうちの4個)というあらかじめ定められたグループからのリソース割振りを選択すると仮定すると、狭帯域の31個のリソース割振り状態がある場合がある。したがって、各リソース割振り状態を、5ビットのビットマップを使用してシグナリングすることができ、これは、リリース13のカバレージ拡張(CE: Coverage Enhancement)モードAビットマップと同じサイズであるので、サブPRBリソース割振りを提供するために増大したビットマップサイズを必要としない。
【００７０】
いくつかの態様では、1つまたは複数の追加のビットが、完全な柔軟性の手法のためにDCIに追加されてもよい。DCIオーバーヘッドを減らすために、サブPRBのためのリソース割振りは、反復レベルを示すためのフィールドなどの、他のフィールドとジョイントコーディングされてもよい。送信サブフレームの最大の数には制限があるので(たとえば、CEモードAでは最高で32個のサブフレーム)、異なる数のサブキャリアに対する反復レベルの数は異なってもよい。たとえば、1つのリソースユニットが考慮される場合、2個のサブキャリア、3個のサブキャリア、および6個のサブキャリアに対するサポートされる反復レベルの数は、それぞれ{1、2、4}、{1、2、4、8}、および{1、2、4、8、16}である。これは、異なる数のサブキャリアに対するリソースユニット(RU)の長さが異なるからである場合があり、すなわち、2個のサブキャリア、3個のサブキャリア、および6個のサブキャリアに対してそれぞれ、8ms、4ms、および2msである。他の数のRUに対するサポートされる反復レベルの数の例は、以下の表において与えられる。リソース割振りおよび反復レベルのジョイントコーディングの場合、全体で504個の状態がある場合があり(すなわち、6個のPRB割振り、RB内の2個のサブキャリアの位置に対する4個の値、RB内の3個のサブキャリアの位置に対する4個の値、RB内の6個のサブキャリアの位置に対する2個の値、RUの数に対する3個の値={1、2、4}、したがって(6x4+9x4+12x2)x6=504)、したがって9ビットを使用する。これは、5ビットがリソース割振りのために使用され2ビットが反復レベルを示すために使用される、レガシーの7ビットと比較して2ビットの増大につながる場合がある。
【００７１】
【表１】
2020520193.tif 000003
【００７２】
参照番号415によって示すように、UE120は、サブPRBリソース割振りにマッピングされるべきトランスポートブロック(TB)のトランスポートブロックサイズ(TBS)を判定してもよい。たとえば、サブPRBリソース割振りは、MCSインデックスを識別してもよい。UE120は、MCSインデックスに関連付けられるTBSを判定するために、MCSインデックスに少なくとも部分的に基づいてMCSテーブルを指す場合がある。いくつかの態様では、MCSテーブルは特定の規格に関連付けられる場合がある。たとえば、MCSテーブルはeMTC規格(たとえば、これはQPSKまたは16直交位相振幅変調(16-QAM)をサポートする場合がある)、NB-IoT規格(たとえば、これはQPSKのみをサポートする場合がある)、または別の規格に関連付けられる場合がある。いくつかの態様では、UE120がQPSKを使用するように構成されるとき、およびUE120がeMTCに関連付けられるQPSK TBSテーブルを使用するとき、UE120は変調次数制約を適用してもよい。たとえば、変調次数が2より高い、すなわち16QAM以上である場合、UEは、サブPRBリソース割振りに関連付けられるQPSKまたはBPSKで、変調次数を上書きする。
【００７３】
参照番号420によって示すように、UE120は、TBSに少なくとも部分的に基づいて、TBをサブPRBリソース割振りにマッピングしてもよい。
【００７４】
いくつかの態様では、UE120は単一のTBを単一のリソースユニットにマッピングしてもよく、または、BS110は単一のリソースユニットにマッピングされるように単一のTBをスケジュールしてもよい。本明細書で使用する場合、リソースユニットは第1の数のサブキャリアおよび第2の数のサブキャリアを指し、第1の数のサブキャリアおよび第2の数のサブキャリアがあらかじめ定められた定数に少なくとも部分的に基づいて判定される。たとえば、リソースユニットはx個のサブキャリアおよびy個のサブキャリアを含む場合があり、x*yは12に等しい。そのような場合、DCI(たとえば、許可)は、TBがそれを介して提供されるべきリソースユニットの数(たとえば、NB-IoTによって定義されるN_RU値と同様)をシグナリングしてもよい。いくつかの態様では、TBSがeMTC MCSテーブルに少なくとも部分的に基づいて判定されるとき、MCSテーブルによって識別されるN_RU値は、TBがマッピングされるべきPRBの数を識別するために使用されてもよい。
【００７５】
いくつかの態様では、UE120は、サブPRBリソース割振りに関連付けられるアップリンクデータ送信のための反復の数を判定してもよい。たとえば、eMTC規格(たとえば、3GPPリリース13 TS 36.213)によって定義される反復レベルがそのまま使用されてもよく、このことは、反復の数を実装することの再構成の労力を減らす場合がある。いくつかの態様では、サポートされる反復レベルは、リリース13との比較において下げられてもよい。たとえば、アップリンクリソース割振りまたは使用されるべきリソースユニットの数の少なくとも一部を示すために、DCIの反復フィールドが使用されることを許可するように、サポートされる反復レベルが下げられてもよい。そのような場合、アップリンクリソース割振りは、MCSおよび反復レベルとのジョイントコーディングに少なくとも部分的に基づいて識別されてもよい。
【００７６】
参照番号425によって示すように、UE120は、許可に少なくとも部分的に基づいてアップリンクデータを送信してもよい。たとえば、UE120は、許可によって識別される変調方式に少なくとも部分的に基づいて、アップリンクリソース割振りに関連付けられるサブキャリアにトランスポートブロックをマッピングしてもよい。このようにして、UE120は1つより少ないPRBのアップリンク許可を使用して通信する。
【００７７】
いくつかの態様では、UE120はアップリンクデータを送信するために再チューニングする(たとえば、再チューニング動作を実行する)場合がある。たとえば、UE120は、第1の周波数、サブキャリア、または狭帯域において開始する場合があり、サブPRBリソース割振りに関連付けられる周波数、サブキャリア、または狭帯域に再チューニングする必要がある場合がある。eMTC規格の3GPPリリース14では、UEの能力に少なくとも部分的に基づく再チューニングのために、OFDMシンボル0、1、および/または2が使用される。そのような場合、UEが1.4MHzの最大送信帯域幅モードにあるとき、狭帯域が変化するときは常に、再チューニングが実行される。UEが5MHzの最大送信帯域幅のために構成されるとき、再チューニングのためのシンボルの数を判定するための規則は、広帯域の変化または狭帯域の中心周波数に少なくとも部分的に基づく。たとえば、3GPPリリース14 TS 36.211において、最高で4個の重複しない広帯域が定義される。中心周波数はリソース割振りのために判定される。宛先アップリンクリソース割振りが、初めのアップリンクリソース割振りと同じ広帯域内にあるとき、中心周波数は同じ広帯域の中心周波数として定義される。宛先アップリンクリソース割振りが、初めのアップリンクリソース割振りと異なる広帯域の中にあるとき、中心周波数はリソース割振りの中心周波数として定義される。
【００７８】
いくつかの態様では、UE120は、UE120の最大送信帯域幅に関連付けられる手法に従って再チューニングを実行してもよい。たとえば、UE120は、UE120が1.4MHzの最大送信帯域幅モードのために構成されるときにUEの狭帯域が変化するとき、再チューニングしてもよく、UE120が5MHzの最大送信帯域幅モードのために構成されるとき、5MHzの最大送信帯域幅のためのリリース14手法に少なくとも部分的に基づいて再チューニングしてもよい。いくつかの態様では、UE120は、UE120の狭帯域が変化するときは常に再チューニングを実行してもよい。たとえば、宛先アップリンクリソース割振りが、初めのアップリンクリソース割振りと異なる狭帯域に含まれることをUE120が判定するとき、UE120は異なる狭帯域に再チューニングしてもよい。いくつかの態様では、UE120は、宛先アップリンクリソース割振りが初めのアップリンクリソース割振りと異なるとき、再チューニングを実行してもよい。
【００７９】
いくつかの態様では、UE120は、UE120がサブPRBリソース割振りを割り振られるかどうかに少なくとも部分的に基づいて、パンクチャリングすべき特定のリソースを判定してもよい。たとえば、UE120は、最後の1つまたは複数のシンボルが再チューニング動作によって失われることになる(たとえば、脱落する、送信されないなど)とき、サブフレームのその最後の1つまたは複数のシンボルをパンクチャリングすることを判定してもよい。いくつかの態様では、UE120はレートマッチング動作を実行することを判定してもよい。たとえば、UE120は、そうされなければ再チューニングにより失われるであろう1つまたは複数のシンボルのデータがサブフレームの後続のシンボル上で提供されるように、サブフレームの最初の1つまたは複数のシンボルをレートマッチングしてもよい。いくつかの態様では、UE120またはBS110は、特定のシンボルがパンクチャリングされるべきではないことを判定してもよい。たとえば、各スロットの4番目のシンボルは、復調基準信号(DMRS)に関連付けられる場合があり、パンクチャリングされない場合がある。いくつかの態様では、UE120またはBS110は、異なるシンボルがパンクチャリングされるべきではないことを判定してもよい。
【００８０】
上記のように、図4は例として示されている。他の例が可能であり、図4に関して説明したことと異なってもよい。
【００８１】
図5は、MTC UEのためのサブPRBリソース割振りに関する周波数ホッピングの一例500を示す図である。
【００８２】
いくつかの態様では、UE120は、UE120のアップリンクデータ送信の送信ダイバーシティを改善するために、周波数ホッピングを実行してもよい。周波数ホッピングのための1つの手法は、3GPPのTS 36.211リリース13および14によって定義される。周波数ホッピング技法を実行するとき、UE120は、サブキャリアの異なるグループを経時的に切り替えてもよい。たとえば、周波数ホッピング間隔は準静的に構成されてもよい。CEモードAでは、周波数ホッピング技法は、1個、2個、4個、または8個の周波数帯域のFDDオフセット上で実行されてもよく、1個、5個、10個、または20個のサブフレームの時分割複信(TDD)オフセット上で実行されてもよい。CEモードBでは、周波数ホッピング技法は、2個、4個、8個、または16個の周波数帯域のFDDオフセット上で実行されてもよく、5個、10個、20個、または40個のサブフレームのTDDオフセット上で実行されてもよい。そのような場合、UE120は、特定のFDDオフセットによって離隔されている第1の狭帯域から第2の狭帯域にホッピングしてもよく、TDDオフセットによって識別される時間間隔に少なくとも部分的に基づいてホップを実行してもよい。
【００８３】
いくつかの態様では、UE120がサブPRBアップリンクリソース割振りを割り振られるとき、周波数ホッピングは許可されない場合があり、これは無線リソース制御(RRC)シグナリングを減らす。いくつかの態様では、UE120は、先行する段落において説明したリリース13またはリリース14のプロセスに従って周波数ホッピングを実行してもよく、これは、周波数ホッピング技法を容易にするためにBS110およびUE120を再構成することに関連付けられる労力を減らす。しかしながら、そのような場合、サブPRBリソース割振りがマッピングされるリソースユニットのサイズは、周波数ホッピング技法の時間オフセットと揃わない場合があるので、データが再チューニングにより失われる場合がある。
【００８４】
いくつかの態様では、UE120は、周波数ホッピング間隔(たとえば、時間間隔)がアップリンクリソース割振りに関連付けられるサブフレームまたはリソースユニットの数と一致するように、周波数ホッピングを構成してもよい。このようにして、周波数ホッピングは、アップリンクリソース割振りの終わりまたはアップリンクリソース割振りのリソースユニットのみにおいて実行され、これは周波数ホッピングが原因の損失を減らす。いくつかの態様では、UE120は、周波数ホッピングが(たとえば、2つの狭帯域にわたるのではなく)あらかじめ構成されたPRBのセット内で実行されるように、周波数ホッピング技法を構成してもよく、これは、周波数ホッピング技法に関連付けられる再チューニング時間を減らす場合がある。
【００８５】
いくつかの態様では、図5に示すように、UE120は、単一のリソースユニット内で周波数ホッピングを実行してもよい。参照番号502は、3個のサブキャリア、1個のサブフレームのリソース割振りに対する周波数ホッピングの例を示す。リソース割振りは参照番号504によって示される。示すように、周波数ホッピングは、4個のサブフレームおよび12個のサブキャリアという単一のリソースユニット内で実行される。さらに示すように、周波数ホッピングは、アップリンクリソース割振りの長さと一致する時間間隔(たとえば、1個のサブフレーム)で実行される。いくつかの態様では、UE120は、周期的周波数ホッピング技法、ミラー周波数ホッピング技法、または別のタイプの周波数ホッピング技法をリソースユニット内で実行してもよい。参照番号506によって示すように、いくつかの態様では、UE120は、周期的周波数ホッピング技法を実行してもよい。ここで、UE120は、6個のサブキャリアのあるセット(たとえば、サブキャリア0〜5)上でアップリンク送信を送信することと、別のセット(たとえば、サブキャリア6〜11)上でアップリンク送信を送信することとの間でホッピングする(参照番号508によって示す)。
【００８６】
上記のように、図5は例として示されている。他の例が可能であり、図5に関して説明したことと異なってもよい。
【００８７】
図6は、ワイヤレス通信の方法600のフローチャートである。この方法は、UE(たとえば、図1のUE120、装置902/902'など)によって実行されてもよい。
【００８８】
610において、UEは、1つより少ない物理リソースブロック(PRB)のアップリンクリソース割振りを識別する許可を受信してもよく、アップリンクリソース割振りが含まれる特定のPRBと、UEのために割り振られるサブキャリアの少なくともあるグループとを許可が識別する。たとえば、UEは許可を(たとえば、DCI、mPUCCHなどにおいて)受信してもよい。許可は、1つより少ないPRBのアップリンクリソース割振りを識別してもよい。たとえば、許可は、アップリンクリソース割振りが含まれる特定のPRBを識別してもよく、UEのために割り振られるサブキャリアの少なくともあるグループ(たとえば、3個のサブキャリア、6個のサブキャリア、8個のサブキャリア、12個のサブキャリア、24個のサブキャリアなど)を識別してもよい。いくつかの態様では、アップリンクリソース割振りは、本明細書の他の箇所でより詳細に説明するように、2つ以上のPRBを含んでもよく、または2つ以上のPRBにわたって分散されてもよい。
【００８９】
620において、UEは、アップリンクリソース割振りを使用してアップリンクデータを送信してもよい。たとえば、UEは、アップリンクリソース割振りを使用してデータを送信してもよい。いくつかの態様では、UEは、以下で図7に関連して説明するように、周波数ダイバーシティを改善するために周波数ホッピング技法を実行してもよい。追加または代替として、UEは、以下で図8に関連して説明するように、アップリンクリソース割振りに少なくとも部分的に基づいて再チューニング動作を実行してもよい。たとえば、UEは、元の周波数からアップリンクリソース割振りに関連付けられる周波数に再チューニングしてもよい。
【００９０】
いくつかの態様では、UEは、カテゴリM UE、カテゴリM1 UE、またはカテゴリM2 UEを含む。いくつかの態様では、特定のPRBは、無線リソース制御シグナリングを使用して、UEのために構成されるあらかじめ定められた狭帯域から選択される。いくつかの態様では、アップリンクリソース割振りはさらに、特定のPRBが含まれる狭帯域を識別する。いくつかの態様では、狭帯域は、UEのシステム帯域幅に対応するすべての狭帯域より少ないものを含む、狭帯域のあらかじめ定められたグループから選択される。いくつかの態様では、特定のPRBは、UEがその上で通信するように構成される狭帯域のすべてのPRBより少ないものを含むPRBのあらかじめ定められたグループから選択される。
【００９１】
いくつかの態様では、特定のPRBは、特定のPRBが狭帯域に含まれないことに少なくとも部分的に基づいて選択される。いくつかの態様では、特定のPRBは、特定のPRBがガードバンドに含まれることに少なくとも部分的に基づいて選択される。いくつかの態様では、アップリンクリソース割振りは、ダウンリンク制御情報の1つまたは複数の使用されていないビットを使用して識別される。いくつかの態様では、アップリンクリソース割振りは、許可に関連付けられるダウンリンク制御情報によって識別されるMCSおよび反復レベルとのジョイントコーディングに少なくとも部分的に基づいて識別される。いくつかの態様では、アップリンクリソース割振りはトランスポートブロックに関連付けられ、アップリンクリソース割振りは、第1の数のサブキャリアおよび第2の数のサブキャリアを含む少なくとも1つのリソースユニットにトランスポートブロックをマッピングし、許可は、トランスポートブロックがマッピングされるべきリソースユニットの数を示す。
【００９２】
いくつかの態様では、トランスポートブロックのトランスポートブロックサイズ(TBS)は、リソースユニットの数に少なくとも部分的に基づいて判定される。いくつかの態様では、トランスポートブロックの変調次数は、トランスポートブロックの判定された変調次数が2より大きいとき、四位相偏移変調または二位相偏移変調を用いて上書きされる。いくつかの態様では、アップリンクリソース割振りはトランスポートブロックに関連付けられ、アップリンクリソース割振りは、第1の数のサブキャリアおよび第2の数のサブキャリアを含むリソースユニットにトランスポートブロックをマッピングし、許可は、アップリンクリソース割振りに関連付けられるトランスポートブロックがマッピングされるべきリソースユニットの数を示す。いくつかの態様では、少なくとも1つのトランスポートブロックのトランスポートブロックサイズは、狭帯域モノのインターネット(NB-IoT)に関連付けられるTBSテーブルを使用することによって、リソースユニットの数に少なくとも部分的に基づいて判定される。いくつかの態様では、テーブルは16直交位相振幅変調方式に関連付けられ、少なくとも1つのトランスポートブロックのトランスポートブロックサイズは、テーブルによって識別されるトランスポートブロックサイズを増やすことによって判定される。
【００９３】
いくつかの態様では、サブキャリアのグループは、特定のPRBのサブキャリアの複数の重複しないグループから選択される。いくつかの態様では、UEは、1つよりも少ないPRBであるリソース割振りを受信するように構成され、アップリンクデータ通信は、1つより少ないPRBリソース割振りの許可を使用してスケジュールされる。いくつかの態様では、許可は1つより少ないPRBの第1の許可であり、UEは最大送信帯域幅を用いて構成され、UEはさらに、少なくとも1つのPRBの第2の許可を受信するように構成され、第2の許可のPRBの数は、少なくとも最大送信帯域幅に基づく。いくつかの態様では、最大送信帯域幅は1.4メガヘルツであり、第2の許可は1個から6個のPRBに関連付けられる。いくつかの態様では、最大送信帯域幅は5MHzであり、第2の許可は6個より多くのPRBに関連付けられる。
【００９４】
図6はワイヤレス通信の方法の例示的なブロックを示すが、いくつかの態様では、方法は、追加のブロック、より少数のブロック、異なるブロック、または図6に示すものとは異なるように構成されたブロックを含んでもよい。追加または代替として、図6に示す2つ以上のブロックが並行して実行されてもよい。
【００９５】
図7は、ワイヤレス通信の方法700の別のフローチャートである。この方法は、UE(たとえば、図1のUE120、装置902/902'など)によって実行されてもよい。
【００９６】
710において、UEは、1つより少ない物理リソースブロック(PRB)のアップリンクリソース割振りを識別する許可を受信してもよく、許可は、アップリンクリソース割振りに関連付けられるトランスポートブロックがマッピングされるべき、サブフレームまたはリソースユニットの数を識別する。たとえば、UEは許可を(たとえば、DCI、mPUCCHなどにおいて)受信してもよい。許可は、アップリンクリソース割振りを識別してもよい。追加または代替として、許可は、アップリンクリソース割振りに関連付けられるTBがマッピングされるべき、サブフレームまたはリソースユニットの数を識別してもよい。たとえば、許可は、サブフレーム(および/またはサブキャリア)またはリソースユニットの数(たとえば、所定の値に少なくとも部分的に基づいて判定されるサブフレームの数およびサブキャリアの数)を識別してもよい。UEは、サブフレームまたはリソースユニットの数に少なくとも部分的に基づいて、アップリンクリソース割振りにトランスポートブロックをマッピングしてもよい。
【００９７】
720において、UEは、サブフレームまたはリソースユニットの数に少なくとも部分的に基づいて、周波数ホッピング技法を判定してもよい。たとえば、UEは、サブフレームまたはリソースユニットの数に少なくとも部分的に基づいて、周波数ホッピング技法を判定してもよい。周波数ホッピング技法は、たとえば、周期的な技法、ミラー技法、PRBを切り替える技法などを含んでもよい。
【００９８】
いくつかの態様では、UEは、許可が1つより少ないPRBのアップリンクリソース割振りを識別するとき、周波数ホッピング技法を無効化するように構成される。いくつかの態様では、UEは、許可が1つより少ないPRBのアップリンクリソース割振りを識別するとき、カバレージ拡張モード、周波数ホッピング間隔、およびサブフレームまたはリソースユニットの数に少なくとも部分的に基づいて、周波数ホッピング技法を構成するように構成される。いくつかの態様では、UEは、周波数ホッピング間隔がアップリンクリソース割振りに関連付けられるサブフレームまたはリソースユニットの数と一致するとき、周波数ホッピング技法を実行するように構成される。いくつかの態様では、UEは、許可が1つより少ないPRBのアップリンクリソース割振りを識別するとき、1つまたは複数のあらかじめ定められたPRB内で周波数ホッピング技法を実行するように構成される。いくつかの態様では、UEは、特定のPRB内の周波数ホッピング技法を実行するように構成され、周波数ホッピング技法は、特定のPRB内での周期的な手法に少なくとも部分的に基づく。いくつかの態様では、周波数ホッピング技法の構成は、ダウンリンク制御情報または無線リソース制御シグナリングを使用して示される。
【００９９】
図7は、ワイヤレス通信方法の例示的なブロックを示すが、いくつかの態様では、この方法は、図7に示すブロックに対する追加のブロック、図7に示すブロックよりも少ないブロック、図7に示すブロックとは異なるブロック、または図7に示すブロックとは異なるように配置されたブロックを含んでもよい。追加または代替として、図7に示す2つ以上のブロックは並列に実行されてもよい。
【０１００】
図8は、ワイヤレス通信の方法800の別のフローチャートである。この方法は、UE(たとえば、図1のUE120、装置902/902'など)によって実行されてもよい。
【０１０１】
810において、UEは、1つより少ない物理リソースブロック(PRB)のアップリンクリソース割振りを識別する許可を受信してもよい。たとえば、UEは、上で図6のブロック610および図7のブロック710に関してより詳細に説明したように、アップリンクリソース割振りを識別する許可を受信してもよい。
【０１０２】
820において、UEは、1つよりも少ないPRBのアップリンクリソース割振りを識別する許可に少なくとも部分的に基づいて、再チューニング動作を実行してもよい。たとえば、UEは、このアップリンクリソース割振り上でデータを送信するために、再チューニング動作を実行してもよい。いくつかの態様では、UEは、本明細書の他の箇所でより詳細に説明するように、3GPP規格のリリース13に関連付けられる構成に従って再チューニング動作を実行してもよい。いくつかの態様では、UEは、1つよりも少ないPRBのアップリンクリソース割振りを識別する許可に少なくとも部分的に基づくなどして、別の手法に少なくとも部分的に基づいて再チューニング動作を実行してもよい。
【０１０３】
いくつかの態様では、UEは、UEのシステム帯域幅能力に対応する再チューニング構成に従って再チューニング動作を実行するように構成される。いくつかの態様では、UEは、UEがその上で通信する狭帯域が変化するとき、再チューニング動作を実行するように構成される。いくつかの態様では、UEは、UEがその上で通信するPRBが変化するとき、再チューニング動作を実行するように構成される。いくつかの態様では、UEは、再チューニング動作を実行したことに少なくとも部分的に基づいて、サブフレームの最後の1つまたは複数のシンボルをパンクチャリングするように構成される。いくつかの態様では、UEは、再チューニング動作を実行したことに少なくとも部分的に基づいて、サブフレームの最初の1つまたは複数のシンボルをレートマッチングするように構成される。
【０１０４】
図8は、ワイヤレス通信方法の例示的なブロックを示すが、いくつかの態様では、この方法は、図8に示すブロックに対する追加のブロック、図8に示すブロックよりも少ないブロック、図8に示すブロックとは異なるブロック、または図8に示すブロックとは異なるように配置されたブロックを含んでもよい。追加または代替として、図8に示す2つ以上のブロックは並列に実行されてもよい。
【０１０５】
図9は、例示的な装置902内のそれぞれに異なるモジュール/手段/構成要素間のデータフローを示す概念データフロー図900である。装置902はUE(たとえば、UE120)であってもよい。いくつかの態様では、装置902は、受信モジュール904、判定モジュール906、実行モジュール908、および/または送信モジュール910を含む。
【０１０６】
受信モジュール904は、基地局950(たとえば、BS110など)からデータ912を受信してもよい。データ912は、たとえば、1つより少ないPRBのアップリンクリソース割振りを識別する許可を含んでもよい。受信モジュール904は、データ914に少なくとも部分的に基づいて、判定モジュールにデータ914を提供してもよい。たとえば、受信モジュール904は、データ914を取得するためにデータ912を復号してもよい。データ914は、許可、許可のアップリンクリソース割振りのPRB、アップリンクリソース割振りのサブキャリアのグループ、アップリンクリソース割振りに関連付けられる狭帯域などを識別してもよい。
【０１０７】
判定モジュール906は、データ914に少なくとも部分的に基づいて、周波数ホッピング技法を判定してもよい。たとえば、周波数ホッピング技法は、周期的な技法、ミラーホッピング技法、単一の狭帯域またはPRB内に含まれる周波数ホッピング技法などを含んでもよい。判定モジュール906は、周波数ホッピング技法を実施するために、データ916を送信モジュール910に提供してもよい。
【０１０８】
実行モジュール908は、データ914に関連付けられる許可に少なくとも部分的に基づいて、再チューニング動作を実行してもよい。たとえば、実行モジュール908は、許可に少なくとも部分的に基づいて、UEがその上で通信する狭帯域が変化するとき、許可に少なくとも部分的に基づいて、UEがその上で通信するPRBが変化するときなどに、再チューニング動作を実行してもよい。実行モジュール908は、再チューニング動作を実施するために、データ918を送信モジュール910に提供してもよい。
【０１０９】
送信モジュール910は、許可によって識別されるアップリンクリソース割振りを使用してアップリンクデータ920を送信してもよい。いくつかの態様では、送信モジュール910は、データ916および/またはデータ918に少なくとも部分的に基づいて、再チューニング動作および/または周波数ホッピング技法を実施してもよい。
【０１１０】
装置は、図6、図7、および/または図8の上記のフローチャートにおけるアルゴリズムのブロックの各々を実行する、追加のモジュールを含んでもよい。そのため、図6、図7、および/または図8の上記のフローチャート内の各ブロックは、モジュールによって実行される場合があり、装置は、それらのモジュールのうちの1つまたは複数を含んでもよい。モジュールは、前述のプロセス/アルゴリズムを実行するように特に構成され、指定されたプロセス/アルゴリズムを実行するように構成されたプロセッサによって実施され、プロセッサによる実施のためにコンピュータ可読媒体内に記憶された、1つもしくは複数のハードウェア構成要素、またはそれらの何らかの組合せであってもよい。
【０１１１】
図9に示すモジュールの数および配置は一例として示されている。実際には、図9に示すモジュールと比べて、追加のモジュール、より少ないモジュール、異なるモジュール、または異なるように配置されたモジュールがあってもよい。さらに、図9に示す2つ以上のモジュールが単一のモジュール内に実装されてもよく、または、図9に示す単一のモジュールが複数の分散したモジュールとして実装されてもよい。追加または代替として、図9に示すモジュールのセット(たとえば、1つまたは複数のモジュール)は、図9に示すモジュールの別のセットによって実行される機能として説明する1つまたは複数の機能を実行してもよい。
【０１１２】
図10は、処理システム1002を採用する装置902'のためのハードウェア実施態様の一例を示す図1000である。装置902'はUE(たとえば、UE120)であってもよい。
【０１１３】
処理システム1002は、バス1004によって全体的に表されるバスアーキテクチャを用いて実装されてもよい。バス1004は、処理システム1002の具体的な適用例と全体的な設計制約とに応じて、任意の数の相互接続するバスおよびブリッジを含んでもよい。バス1004は、プロセッサ1006、モジュール904、906、908、および910、ならびにコンピュータ可読媒体/メモリ1008によって表された、1つまたは複数のプロセッサおよび/またはハードウェアモジュールを含む様々な回路を一緒につなぐ。バス1004はまた、タイミングソース、周辺装置、電圧調整器、および電力管理回路などの様々な他の回路をつなぐ場合があるが、それらの回路は当技術分野でよく知られており、したがってそれらの回路についてこれ以上は説明しない。
【０１１４】
処理システム1002はトランシーバ1010に結合されてもよい。トランシーバ1010は、1つまたは複数のアンテナ1012に結合される。トランシーバ1010は、伝達媒体を介して様々な他の装置と通信するための手段を構成する。トランシーバ1010は、1つまたは複数のアンテナ1012から信号を受信し、受信された信号から情報を抽出し、抽出された情報を処理システム1002、具体的には受信モジュール904に提供する。加えて、トランシーバ1010は、処理システム1002、具体的には送信モジュール910から情報を受信し、受信された情報に少なくとも部分的に基づいて、1つまたは複数のアンテナ1012に印加すべき信号を生成する。処理システム1002は、コンピュータ可読媒体/メモリ1008に結合されたプロセッサ1006を含む。プロセッサ1006は、コンピュータ可読媒体/メモリ1008上に記憶されたソフトウェアの実行を含む一般的な処理を担当する。ソフトウェアは、プロセッサ1006によって実行されると、任意の特定の装置に対して、上で説明された様々な機能を処理システム1002に実行させる。コンピュータ可読媒体/メモリ1008は、ソフトウェアを実行するときにプロセッサ1006によって操作されるデータを記憶するためにも使用されることがある。処理システムはさらに、モジュール904、906、908、および910のうちの少なくとも1つを含む。モジュールは、プロセッサ1006内で実行され、コンピュータ可読媒体/メモリ1008内に存在し/記憶されたソフトウェアモジュールであってもよく、プロセッサ1006に結合された1つもしくは複数のハードウェアモジュールであってもよく、またはそれらの何らかの組合せであってもよい。処理システム1002は、UE120の構成要素であってもよく、メモリ282、ならびに/またはTX MIMOプロセッサ266、RXプロセッサ258、および/もしくはコントローラ/プロセッサ280のうちの少なくとも1つを含んでもよい。
【０１１５】
いくつかの態様では、ワイヤレス通信のための装置902/902'は、1つより少ない物理リソースブロック(PRB)のアップリンクリソース割振りを識別する許可を受信するための手段、アップリンクリソース割振りを使用してアップリンクデータを送信するための手段、サブフレームもしくはリソースユニットの数に少なくとも部分的に基づいて周波数ホッピング技法を判定するための手段、および/または、1つより少ないPRBのアップリンクリソース割振りを識別する許可に少なくとも部分的に基づいて再チューニング動作を実行するための手段を含む。前述の手段は、前述の手段によって列挙した機能を実行するように構成された、装置902および/または装置902'の処理システム1002の前述のモジュールの1つまたは複数であってもよい。上記で説明したように、処理システム1002は、TX MIMOプロセッサ266、RXプロセッサ258、および/またはコントローラ/プロセッサ280を含む場合がある。したがって、一構成では、上記の手段は、上記の手段によって列挙された機能を実行するように構成された、TX MIMOプロセッサ266、RXプロセッサ258、および/またはコントローラ/プロセッサ280であってもよい。
【０１１６】
図10は、一例として示されている。他の例が可能であり、図10に関して説明したことと異なってもよい。
【０１１７】
開示したプロセス/フローチャートにおけるブロックの特定の順序または階層は、例示的な手法の例示であることを理解されたい。設計上の優先事項に基づいて、プロセス/フローチャートにおけるブロックの特定の順序または階層が並べ替えられてもよいことを理解されたい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１１８】
前の説明は、いかなる当業者も本明細書に記載された様々な態様を実践することを可能にするために提供される。これらの態様に対する様々な修正は当業者には容易に明らかであり、本明細書において規定された一般的原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「1つまたは複数の」を意味するものである。「例示的」という単語は、本明細書において、「例、事例、または例示として働くこと」を意味するために使用される。「例示的」として本明細書に記載されたいかなる態様も、必ずしも他の態様よりも好ましいか、または有利であると解釈されるべきではない。別段に明記されていない限り、「いくつかの」という用語は1つまたは複数を指す。「A、B、またはCのうちの少なくとも1つ」、「A、B、およびCのうちの少なくとも1つ」、「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、およびCのうちの少なくとも1つ」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者にとって周知の、または後に周知となる、本開示全体を通じて説明した様々な態様の要素に対するすべての構造的および機能的均等物が、参照により本明細書に明確に組み込まれ、特許請求の範囲によって包含されることが意図される。その上、本明細書で開示されたものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
【符号の説明】
【０１１９】
100  ネットワーク
102a  マクロセル
102b  ピコセル
102c  フェムトセル
110、110a、110b、110c  BS
110d  中継局
120、120a、120b、120c、120d  UE
130  ネットワークコントローラ
212  データソース
220  送信プロセッサ
230  送信(TX)多入力多出力(MIMO)プロセッサ
232a〜232t  変調器(MOD)、復調器
234a〜234t  アンテナ
236  MIMO検出器
238  受信プロセッサ
239  データシンク
240  コントローラ/プロセッサ
242  メモリ
244  通信ユニット
246  スケジューラ
252a〜252r  アンテナ
254a〜254r  復調器(DEMOD)、変調器
256  MIMO検出器
258  受信プロセッサ、RXプロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
300  フレーム構造
400  例
500  例
600  方法
700  方法
800  方法
902/902'  装置
904  受信モジュール
906  判定モジュール
908  実行モジュール
910  送信モジュール
912  データ
914  データ
916  データ
918  データ
920  アップリンクデータ
950  基地局
【図１】
2020520193.tif 000004
【図２】
2020520193.tif 000005
【図３】
2020520193.tif 000006
【図４】
2020520193.tif 000007
【図５】
2020520193.tif 000008
【図６】
2020520193.tif 000009
【図７】
2020520193.tif 000010
【図８】
2020520193.tif 000011
【図９】
2020520193.tif 000012
【図１０】
2020520193.tif 000013
【国際調査報告】
2020520193.tif 000014
2020520193.tif 000015